(57)【要約】【課題】  足場に手すりを先行させる作業と、足場に養生を行う作業とを同時に進めて施工コストを低減するとともに施工期間を短縮し、極めて安全な足場を組み立てられる手すり先行型足場養生システムおよびこれを用いた手すり先行型足場、ならびに手すり先行型足場養生方法を提供する。【解決手段】  作業現場で足場を組み立てる際に使用される足場養生システム１であって、足場を構成する建枠１１に沿って設置される一対のガイドレール２，２と、一対のガイドレール２，２の間で各ガイドレール２，２に沿って下から上へスライドされて足場の外側に設置される手すり兼養生シャッター３と、手すり兼養生シャッター３を所定の高さで一対のガイドレール２，２間に固定するシャッター固定手段４とを有する。【選択図】  図１
2013057210.tif 000002
【特許請求の範囲】
【請求項１】
作業現場で足場を組み立てる際に使用される足場養生システムであって、
足場を構成する建枠に沿って設置される一対のガイドレールと、
前記一対のガイドレールの間で前記各ガイドレールに沿って下から上へスライドされて前記足場の外側に設置される手すり兼養生シャッターと、
前記手すり兼養生シャッターを所定の高さで前記一対のガイドレール間に固定するシャッター固定手段と
を有する、手すり先行型足場養生システム。
【請求項２】
前記ガイドレールは、前記建枠の高さに相当する長さを有するとともに、他のガイドレールと上下方向に連結される連結部を有する、請求項１に記載の手すり先行型足場養生システム。
【請求項３】
前記手すり兼養生シャッターは、複数枚の小形シャッターパネルを折り畳み自在に連結して構成されている、請求項１または請求項２に記載の手すり先行型足場養生システム。
【請求項４】
前記手すり兼養生シャッターは、採光性および通気性を有する複数のメッシュ部材を折り畳み自在に連結して構成されている、請求項１または請求項２に記載の手すり先行型足場養生システム。
【請求項５】
前記ガイドレールは、前記手すり兼養生シャッターを案内する案内面に沿ってレール防音材が取り付けられている、請求項１から請求項４のいずれかに記載の手すり先行型足場養生システム。
【請求項６】
前記手すり兼養生シャッターの内側面には、前記手すり兼養生シャッターと前記足場の布板との隙間を塞ぐ隙間閉塞パネルが、前記手すり兼養生シャッター内に収納される収納位置と、前記隙間を塞ぐ閉塞位置との間で出し入れ可能に設けられている、請求項１から請求項５のいずれかに記載の手すり先行型足場養生システム。
【請求項７】
前記手すり兼養生シャッターの内側面には、伸縮自在なスライド式幅木を収納可能な幅木収納空間が設けられており、この幅木収納空間内に前記スライド式幅木が出し入れ可能に設けられている、請求項１から請求項６のいずれかに記載の手すり先行型足場養生システム。
【請求項８】
請求項１から請求項７のいずれかに記載の前記手すり先行型足場養生システムを備えてなる、手すり先行型足場。
【請求項９】
足場を構成する建枠に沿って設置される一対のガイドレールと、前記足場の外側に設置される手すり兼養生シャッターとを用いた手すり先行型足場養生方法であって、
前記一対のガイドレールの各上端部が最上層に設置された布板よりも高い位置にある状態で、前記一対のガイドレールを前記建枠に固定するレール固定工程と、
前記一対のガイドレールの間で前記各ガイドレールに沿って前記手すり兼養生シャッターを下から上へスライドさせて、前記手すり兼養生シャッターの上端部が前記ガイドレールの上端部近傍位置にある状態で、前記手すり兼養生シャッターを前記ガイドレール間に固定するシャッター固定工程と
を有する、手すり先行型足場養生方法。
【請求項１０】
前記足場の増設に合わせて、前記ガイドレールおよび前記手すり兼養生シャッターを増設する場合、
既設のガイドレールの上端部に新設のガイドレールの下端部を連結して前記建枠に固定する新設レール固定工程と、
既設の手すり兼養生シャッターの固定を解除して上方にスライドさせるとともに、その上端部が前記新設ガイドレールの上端部近傍位置にある状態で、前記既設の手すり兼養生シャッターを前記新設ガイドレール間に固定する既設シャッター再固定工程と、
前記既設のガイドレールの間に新設の手すり兼養生シャッターを最下層から挿入して上方にスライドし、その上端部を前記既設の手すり兼養生シャッターの下端部に連結するシャッター連結工程と、
前記既設の手すり兼養生シャッターの下端部に連結された前記新設の手すり兼養生シャッターを前記既設のガイドレール間に固定する新設シャッター固定工程と
を有する、請求項９に記載の手すり先行型足場養生方法。
【請求項１１】
前記シャッター固定工程、前記既設シャッター再固定工程または前記新設シャッター固定工程の後、前記手すり兼養生シャッターの内側面に設けられた隙間閉塞パネルによって、前記手すり兼養生シャッターと前記布板との隙間を塞ぐ隙間閉塞パネル設置工程を有する、請求項９または請求項１０に記載の手すり先行型足場養生方法。
【請求項１２】
前記シャッター固定工程、前記既設シャッター再固定工程または前記新設シャッター固定工程の後、前記手すり兼養生シャッターの内側面に設けられたスライド式幅木を取り出し、前記布板の内側に設置するスライド式幅木設置工程を有する、請求項９から請求項１１のいずれかに記載の手すり先行型足場養生方法。
【発明の詳細な説明】
【技術分野】
【０００１】
本発明は、足場に手すりを先行させる作業と、足場に養生を行う作業とを同時に進めることができる手すり先行型足場養生システムおよびこれを用いた手すり先行型足場、ならびに手すり先行型足場養生方法に関するものである。
【背景技術】
【０００２】
従来、厚生労働省において、足場からの墜落災害等を防止する有効な対策として、「手すり先行工法に関するガイドライン」が策定されている。この「手すり先行工法」とは、建設工事において、足場の組立て等の作業を行うに当たり、労働者が足場の作業床に乗る前に、当該作業床の端となる箇所に適切な手すりを先行して設置し、かつ、最上層の作業床を取りはずすときは、当該作業床の端の手すりを残置して行う工法をいう。
【０００３】
また、平成２１年には、足場等に関する労働安全衛生規則が改正され、墜落防止措置および物体の落下防止措置に求められる基準が引き上げられた。墜落防止措置としては、例えば、枠組足場にあっては、交さ筋かいに下さんや幅木等を設けた上で、上さんや手すり枠を設けること、あるいは防音パネルやネットフレーム等を設置することとされた。また、落下防止措置としては、メッシュシートや安全ネット等を設置することとされた。
【０００４】
なお、上述した手すり先行工法に関する技術として、例えば、特開２００６−２２６００１号公報には、複数本の手摺柱とそれらの手摺柱を連結する少なくとも１本の手摺材からなる先送り方式の先行手摺枠であって、手摺柱が棒状部材の上にあずけることができる形状を有するあずけ金具を有し、かつ手摺材が手摺柱に対して回転可能に連結されている先行手摺枠が提案されている（特許文献１）。
【先行技術文献】
【特許文献】
【０００５】
【特許文献１】特開２００６−２２６００１号公報
【発明の概要】
【発明が解決しようとする課題】
【０００６】
しかしながら、特許文献１に記載された発明を含め、従来の足場においては、手すりを先行して設置する作業と、メッシュシートや防音パネル等で足場の外面を養生する作業とが別個に独立して行われている。このため、施工期間が長期化するとともに、施工コストが嵩んでしまうという問題がある。
【０００７】
特に、メッシュシートは、一枚一枚手作業によって紐で結びつける必要があるため、極めて煩雑であり時間と手間がかかる。また、メッシュシートは単価が高く、定期的にクリーニング代金がかかる上、色あせや損傷等により５年程度で廃棄せざるを得ない。しかもその処分費用も高価である。さらに、メッシュシートはリサイクルが困難なため、現状では埋め立て処分されており、環境負荷の問題もある。なお、メッシュシートを結ぶ紐も使い捨てるため、削減したいコストである。
【０００８】
一方、防音パネルは、メッシュシート以上に単価が高い上、一旦破損すると修理が困難であるため経済的ではない。また、防音パネルは、一枚あたりの重量が重いため、高所になるほど持ち上げ作業および取り付け作業が難しくなり大変危険である。さらに、防音パネル自体の防音性は高くても、コーナー部等では隙間ができてしまうため、防音性や防塵性においても欠点が残っている。
【０００９】
本発明は、このような問題点を解決するためになされたものであって、足場に手すりを先行させる作業と、足場に養生を行う作業とを同時に進めて施工コストを低減するとともに施工期間を短縮し、極めて安全な足場を組み立てられる手すり先行型足場養生システムおよびこれを用いた手すり先行型足場、ならびに手すり先行型足場養生方法を提供することを目的としている。
【課題を解決するための手段】
【００１０】
本発明に係る手すり先行型足場養生システムは、作業現場で足場を組み立てる際に使用される足場養生システムであって、足場を構成する建枠に沿って設置される一対のガイドレールと、前記一対のガイドレールの間で前記各ガイドレールに沿って下から上へスライドされて前記足場の外側に設置される手すり兼養生シャッターと、前記手すり兼養生シャッターを所定の高さで前記一対のガイドレール間に固定するシャッター固定手段とを有する。
【００１１】
また、本発明の一態様として、前記ガイドレールは、前記建枠の高さに相当する長さを有するとともに、他のガイドレールと上下方向に連結される連結部を有していてもよい。
【００１２】
さらに、本発明の一態様として、前記手すり兼養生シャッターは、複数枚の小形シャッターパネルを折り畳み自在に連結して構成されていてもよい。
【００１３】
また、本発明の一態様として、前記手すり兼養生シャッターは、採光性および通気性を有する複数のメッシュ部材を折り畳み自在に連結して構成されていてもよい。
【００１４】
また、本発明の一態様として、前記ガイドレールは、前記手すり兼養生シャッターを案内する案内面に沿ってレール防音材が取り付けられていてもよい。
【００１５】
さらに、本発明の一態様として、前記手すり兼養生シャッターの内側面には、前記手すり兼養生シャッターと前記足場の布板との隙間を塞ぐ隙間閉塞パネルが、前記手すり兼養生シャッター内に収納される収納位置と、前記隙間を塞ぐ閉塞位置との間で出し入れ可能に設けられていてもよい。
【００１６】
また、本発明の一態様として、前記手すり兼養生シャッターの内側面には、伸縮自在なスライド式幅木を収納可能な幅木収納空間が設けられており、この幅木収納空間内に前記スライド式幅木が出し入れ可能に設けられていてもよい。
【００１７】
また、本発明に係る手すり先行型足場は、請求項１から請求項７のいずれかに記載の前記手すり先行型足場養生システムを備えてなる。
【００１８】
また、本発明に係る手すり先行型足場養生方法は、足場を構成する建枠に沿って設置される一対のガイドレールと、前記足場の外側に設置される手すり兼養生シャッターとを用いた手すり先行型足場養生方法であって、前記一対のガイドレールの各上端部が最上層に設置された布板よりも高い位置にある状態で、前記一対のガイドレールを前記建枠に固定するレール固定工程と、前記一対のガイドレールの間で前記各ガイドレールに沿って前記手すり兼養生シャッターを下から上へスライドさせて、前記手すり兼養生シャッターの上端部が前記ガイドレールの上端部近傍位置にある状態で、前記手すり兼養生シャッターを前記ガイドレール間に固定するシャッター固定工程とを有する。
【００１９】
また、本発明の一態様として、前記足場の増設に合わせて、前記ガイドレールおよび前記手すり兼養生シャッターを増設する場合、既設のガイドレールの上端部に新設のガイドレールの下端部を連結して前記建枠に固定する新設レール固定工程と、既設の手すり兼養生シャッターの固定を解除して上方にスライドさせるとともに、その上端部が前記新設ガイドレールの上端部近傍位置にある状態で、前記既設の手すり兼養生シャッターを前記新設ガイドレール間に固定する既設シャッター再固定工程と、前記既設のガイドレールの間に新設の手すり兼養生シャッターを最下層から挿入して上方にスライドし、その上端部を前記既設の手すり兼養生シャッターの下端部に連結するシャッター連結工程と、前記既設の手すり兼養生シャッターの下端部に連結された前記新設の手すり兼養生シャッターを前記既設のガイドレール間に固定する新設シャッター固定工程とを有していてもよい。
【００２０】
さらに、本発明の一態様として、前記シャッター固定工程、前記既設シャッター再固定工程または前記新設シャッター固定工程の後、前記手すり兼養生シャッターの内側面に設けられた隙間閉塞パネルによって、前記手すり兼養生シャッターと前記布板との隙間を塞ぐ隙間閉塞パネル設置工程を有していてもよい。
【００２１】
また、本発明の一態様として、前記シャッター固定工程、前記既設シャッター再固定工程または前記新設シャッター固定工程の後、前記手すり兼養生シャッターの内側面に設けられたスライド式幅木を取り出し、前記布板の内側に設置するスライド式幅木設置工程を有していてもよい。
【発明の効果】
【００２２】
本発明によれば、足場に手すりを先行させる作業と、足場に養生を行う作業とを同時に進めて施工コストを低減するとともに施工期間を短縮し、極めて安全な足場を提供することができる。
【図面の簡単な説明】
【００２３】
【図１】本発明に係る手すり先行型足場養生システムの一実施形態を示す斜視図である。
【図２】本実施形態の手すり先行型足場養生システムを示す正面図である。
【図３】本実施形態の手すり先行型足場養生システムを示す平面図である。
【図４】本実施形態の手すり先行型足場養生システムを示す右側面図である。
【図５】本実施形態のガイドレールを示す（ａ）側面図、（ｂ）斜視図、および（ｃ）平面図である。
【図６】本実施形態の手すり兼養生シャッターを示す正面図である。
【図７】本実施形態の小形シャッターパネルの（ａ）連結構造を示す図および（ｂ）折り畳んだ状態を示す図である。
【図８】本実施形態の隙間閉塞パネルおよびガイド部材を示す（ａ）正面図および（ｂ）側面図である。
【図９】本実施形態の隙間閉塞パネルを収納位置から閉塞位置へスライドさせる動作を示す図である。
【図１０】本実施形態のスライド式幅木を取り出して建枠へ設置する動作を示す図である。
【図１１】本実施形態の手すり兼養生シャッターをジョイントプレートで連結する動作を示す図である。
【図１２】本実施形態のシャッター固定手段が、（ａ）固定してない状態、および（ｂ）固定している状態を示す図である。
【図１３】本実施形態の手すり先行型足場養生方法により、本実施形態の手すり先行型足場養生システムを構築する様子を示す図である。
【図１４】本実施形態の手すり先行型足場養生システムの最上部を示す図である。
【図１５】本発明における手すり兼養生シャッターの他の実施形態を示す図である。
【図１６】本発明における隙間閉塞パネルの他の実施形態を示す図である。
【図１７】本発明におけるガイドレールの他の実施形態を示す図である。
【図１８】本発明における手すり兼養生シャッターの他の実施形態を示す図である。
【発明を実施するための形態】
【００２４】
以下、本発明に係る手すり先行型足場養生システムおよびこれを用いた手すり先行型足場、ならびに手すり先行型足場養生方法の実施形態について図面を用いて説明する。
【００２５】
なお、本発明において、足場とは、建枠に布板を設けて構成される全ての足場を含む概念であり、枠組足場、くさび緊結式足場、単管足場、ブラケット一側足場、張出し足場、吊り足場、吊り棚足場、丸太足場等が挙げられる。また、手すり先行型足場とは、手すり先行工法に従って組み立てられる全ての足場を含む概念である。
【００２６】
本実施形態の手すり先行型足場養生システム１は、建築現場や解体現場等の作業現場で足場を組み立てる際に使用される足場養生システムであって、図１から図４に示すように、主として、建枠１１に沿って設けられる一対のガイドレール２，２と、これら一対のガイドレール２，２の間で案内される手すり兼養生シャッター３と、この手すり兼養生シャッター３を一対のガイドレール２，２間に固定するシャッター固定手段４とを有している。以下、各構成部について詳細に説明する。
【００２７】
一対のガイドレール２，２は、手すり兼養生シャッター３の左右両端部を狭持し、上下方向へスライド動作をガイドするものである。各ガイドレール２は、図３および図５に示すように、断面略Ｈ字形状に形成されており、手すり兼養生シャッター３の各左右端部を案内する二つのレール溝２１，２１を備えている。各レール溝２１は、図５に示すように、向かい合う案内面２２を有しているとともに、これら各案内面２２の一部あるいは全部に沿ってゴムマット等のレール防音材２３が取り付けられている。
【００２８】
本実施形態において、各ガイドレール２は、図３および図５に示すように、略円筒状の先行支柱２４と一体的に構成されている。この先行支柱２４の上端部には、ジョイントピン２５が設けられており、このジョイントピン２５を他のガイドレール２の先行支柱２４の下端部に差し込むことにより、各ガイドレール２が上下方向に連結される。また、本実施形態では、足場の増設に合わせてガイドレール２を連接し易くするため、各ガイドレール２は、建枠１１の高さに相当する長さを有している。
【００２９】
また、各ガイドレール２は、図３から図５に示すように、先行支柱２４の略中央よりやや下方位置に設けられる第１固定部材２６と、この第１固定部材２６より下方位置に設けられる第２固定部材２７とを有している。第１固定部材２６は、図５（ｃ）に示すように、建枠１１の上端部から突出する円筒部に上から嵌め入れる嵌入孔２８を有している。第２固定部材２７は、図４および図５（ａ）に示すように、建枠１１を横から把持するクランプで構成されている。
【００３０】
以上の構成により、第１固定部材２６および第２固定部材２７によって各ガイドレール２を建枠１１の外側に固定すると、図４に示すように、各ガイドレール２の上端部が、最上層に設置された布板１２よりも高い位置にある状態で、各ガイドレール２が建枠１１に固定される。
【００３１】
なお、ガイドレール２は、上記構成に限定されるものではなく、ガイドレール２を上下方向に連結する機能を有するものであれば、ジョイントピン２５以外の連結部２５を採用してもよい。また、軽量化のために連結部２５や第１固定部材２６および第２固定部材２７をガイドレール２に直接取り付けてもよい。
【００３２】
つぎに、手すり兼養生シャッター３は、一対のガイドレール２，２の間で下から上へ持ち上げられて前記ガイドレール２，２に沿ってスライドされ、所定位置において先行手すりおよび養生の役割を果たすものである。本実施形態において、手すり兼養生シャッター３は、図６および図７に示すように、ヒンジ３１によって複数枚の小形シャッターパネル３２が折り畳み自在に連結された構造を有している。このため、図４に示すように、交互に折り畳んでコンパクト化でき収納ボックス３３に収納し易くなっている。また、現場への運送の際にも便利である。
【００３３】
なお、本実施形態では、足場の増設に合わせて手すり兼養生シャッター３を連接し易くするため、各手すり兼養生シャッター３は、建枠１１の高さに相当する長さを有している。また、各小形シャッターパネル３２の素材としては、安価・軽量・高強度・リサイクル可能な素材が好ましいが、これに限定されるものではない。
【００３４】
また、手すり兼養生シャッター３の内側面には、手すり兼養生シャッター３と布板１２との隙間を塞ぐ隙間閉塞パネル５が、適宜、出し入れ可能に設けられている。具体的には、図８および図９に示すように、布板１２に向かい合うこととなる小形シャッターパネル３２にパネル収納空間５１が形成されており、このパネル収納空間５１の両端部に一対のガイド部材５２，５２が固定されている。各ガイド部材５２には、隙間閉塞パネル５の両端部に設けられたガイドピン５３を案内するガイド溝５４が逆Ｌ字形状に形成されている。これらの構成により、図９に示すように、隙間閉塞パネル５を引き出し、あるいは戻すことにより、手すり兼養生シャッター３内に収納される収納位置と、隙間を塞ぐ閉塞位置との間で、出し入れ可能に設けられる。
【００３５】
また、手すり兼養生シャッター３の内側面には、別途、布板１２の内側に設置するためのスライド式幅木６が収納されている。このスライド式幅木６は、図１０に示すように、第１幅木部材６１と第２幅木部材６２とから構成されており、第１幅木部材６１の右端部に設けられた凹部６３に、第２幅木部材６２の左端部をスライドさせて出し入れすることで伸縮自在に構成されている。また、第１幅木部材６１の右端部には係合孔６４が形成されており、第２幅木部材６２の左端部において突出方向に付勢された二つの固定ピン６５を係合させるようになっている。さらに、第１幅木部材６１および第２幅木部材６２の各端部には、Ｌ字形状の引掛金具６６が回転自在に収納されており、１８０度回転させると建枠１１に引っ掛けられる状態となる。
【００３６】
本実施形態では、スライド式幅木６の取り出し易さを考慮して、手すり兼養生シャッター３を構成する小形シャッターパネル３２のうち上方の小形シャッターパネル３２に、スライド式幅木６を収納する幅木収納空間６７が形成されている。この幅木収納空間６７の開口部６８は、スライド式幅木６の最短寸法より大きく、かつ、スライド式幅木６の最長寸法より小さく形成されており、スライド式幅木６を出し入れ可能に収納する。
【００３７】
なお、手すり兼養生シャッター３には、図６および図１１に示すように、その上下端部にジョイントプレート７の差込口３４が二つずつ形成されている。ジョイントプレート７は、突出方向に付勢された二つの係止ピン７１を有している。また、各差込口３４は、ジョイントプレート７の略半分を収容し、係止ピン７１を係止させる係止孔３５を有している。
【００３８】
この構成により、後述するように、手すり兼養生シャッター３の上端部の各差込口３４にジョイントプレート７を差し込んだ状態でガイドレール２に沿って持ち上げると、各ジョイントプレート７が上方に既設されている手すり兼養生シャッター３の各差込口３４に差し込まれ、各手すり兼養生シャッター３が上下方向に連結される。
【００３９】
シャッター固定手段４は、手すり兼養生シャッター３を所定の高さで一対のガイドレール２，２間に固定するものである。シャッター固定手段４は、図２および図６に示すように、操作のし易さを考慮して、下方の小形シャッターパネル３２に設けられている。また、シャッター固定手段４は、図１２に示すように、回転摘み４１に連結された一対のロック棒４２，４２から構成されており、回転摘み４１の回転に応じて、各ロック棒４２が小形シャッターパネル３２の左右端部から退避した状態と、突出した状態とに切り換え可能に構成されている。
【００４０】
また、本実施形態では、図１２に示すように、各ガイドレール２の下方位置におけるレール溝２１の内部に、各ロック棒４２の先端部を係止する係止突起２９が設けられている。この構成により、手すり兼養生シャッター３の上端部が、ガイドレール２の上端部近傍位置にある状態で回転摘み４１を回転させると、左右のロック棒４２が突出して係止突起２９に係止し、手すり兼養生シャッター３がガイドレール２に固定される。
【００４１】
つぎに、以上の構成を備えた本実施形態の手すり先行型足場養生システム１および手すり先行型足場養生方法の作用について説明する。なお、本実施形態では、枠組足場を組み立てる場合の例について説明するが、他の足場にも適用可能であり、足場を解体する場合は、以下に示す工程を逆から進行すればよい。
【００４２】
まず、図１３（ａ）に示すように、ジャッキベース１３で立ち上げた建枠１１をブレース（図示せず）で補強した後、布板１２を設置して足場を組み立てる。このとき、当該布板１２が最上層の布板１２となるため、「手すり先行工法」に従うには、作業者が当該布板１２に乗る前に、手すりを先行して設置する必要がある。
【００４３】
つぎに、図１３（ａ）に示すように、左右に隣り合う建枠１１の外面側に沿って一対のガイドレール２，２を固定する（レール固定工程）。このとき、第１固定部材２６が、建枠１１の上端部から突出する円筒部に上から嵌め入れられるため、ガイドレール２の自重を支持する。また、第２固定部材２７は、クランプによって建枠１１を横から把持し、ガイドレール２を略垂直方向に保持する。これにより、各ガイドレール２が建枠１１の上方に固定されるため、図１３（ｂ）に示すように、各ガイドレール２の上端部が、最上層に設置された布板１２よりも高い位置に配置される。
【００４４】
つづいて、図１３（ｂ）に示すように、手すり兼養生シャッター３を下から上へスライドさせながら持ち上げて、シャッター固定手段４によってガイドレール２に固定する（シャッター固定工程）。このとき、手すり兼養生シャッター３の上端部が各ガイドレール２の上端部近傍位置にある状態で固定すると、手すり兼養生シャッター３の上端部が最上層の布板１２に先行するため、手すりの役割を果たす。同時に、手すり兼養生シャッター３が、足場の外側を覆うため養生の役割を果たす。これにより、先行手すりの設置作業と、養生ネット等の設置作業とが同時に行われるため、安全性を確保しつつ、施工コストの低減と施工期間の短縮が図れる。
【００４５】
また、本実施形態では、手すり兼養生シャッター３が、複数枚の小形シャッターパネル３２を交互に折り畳んで収納ボックス３３に収納されているため、取り扱いやすく、狭い現場でも施工しやすい。また、各ガイドレール２の案内面２２に設けられたレール防音材２３によって手すり兼養生シャッター３を上下にスライドする際の騒音を低減する。
【００４６】
なお、図１３（ｂ）に示すように、各ガイドレール２の上端部に、手すり兼養生シャッター３の上昇を規制するストッパー３６を取り付ければ、手すり兼養生シャッター３の位置決めが容易になる。また、シャッター固定手段４は、図１２に示すように、回転摘み４１を回すだけでロック棒４２を左右に突出させ、簡単かつ迅速にレール溝２１内の係止突起２９に係止し、手すり兼養生シャッター３をガイドレール２に固定する。
【００４７】
つぎに、図９および図１３（ｂ）に示すように、手すり兼養生シャッター３の内側面から隙間閉塞パネル５を引き出し、手すり兼養生シャッター３と布板１２との隙間を塞ぐ（隙間閉塞パネル設置工程）。この隙間閉塞パネル５を設置することにより作業者の墜落や工具等の落下が防止される。また、隙間閉塞パネル５が手すり兼養生シャッター３と共に持ち上げられるため、作業者が隙間閉塞パネル５を別途、上方へ運ぶ手間が不要となり、作業が軽減されるとともに隙間閉塞パネル５自体の落下事故が防止される。さらに、本実施形態では、ガイド部材５２によって隙間閉塞パネル５のガイドピン５３を案内する構造であるため、簡単かつ迅速に収納位置と閉塞位置とに出し入れされる。
【００４８】
また、本実施形態では、図１０および図１３（ｂ）に示すように、手すり兼養生シャッター３の内側面からスライド式幅木６を取り出し、布板１２の内側に設置する（スライド式幅木設置工程）。このようにスライド式幅木６を設置することで、足場の内側方向の安全性が確保され、作業者の墜落や工具等の落下が防止される。また、スライド式幅木６が手すり兼養生シャッター３と共に持ち上げられるため、別途、作業者が幅木を上方へ運ぶ手間が不要となり、作業が軽減されるとともに幅木自体の落下事故が防止される。さらに、本実施形態では、スライド式幅木６が伸縮自在に構成されているため、簡単かつ迅速に幅木収納空間６７から出し入れされる。なお、スライド式幅木６は、養生クランプ６９等で上部を建枠１１に固定することが好ましい。
【００４９】
以上の工程により、手すり先行型足場養生システム１の１ユニットが構築されるため、これを作業現場に必要な分だけ左右方向に連接する。このとき、本実施形態では、各ガイドレール２が、隣り合う手すり兼養生シャッター３をそれぞれ左右のレール溝２１に受け入れる。このため、各手すり兼養生シャッター３が左右方向に隙間なく連接され、防音性や防塵性が高い上、外観も美しい。
【００５０】
つづいて、最上層の布板１２における作業が完了した後、さらに上方での作業が必要な場合には、既設の足場の上層に別途、足場を増設する。そして、当該足場の増設に合わせて、手すり先行型足場養生システム１を上方向に増設する。
【００５１】
具体的には、まず、図１３（ｃ）に示すように、既設のガイドレール２の上端部に新設のガイドレール２の下端部を連結し、建枠１１に固定する（新設レール固定工程）。このとき、各ガイドレール２の上下寸法が建枠１１の高さに相当するため、増設を繰り返しても布板１２に対するガイドレール２の上端部の高さ位置が一定となる。また、足場の増設に合わせて手すり先行型足場養生システム１を増設しやすい。さらに、既設ガイドレール２のジョイントピン２５が、新設ガイドレール２に差し込まれるため、簡単に連結される。
【００５２】
つぎに、既設の手すり兼養生シャッター３の固定を解除して上方にスライドさせるとともに、その上端部が新設ガイドレール２の上端部近傍位置にある状態で、既設の手すり兼養生シャッター３を新設ガイドレール２の間に固定する（既設シャッター再固定工程）。このとき、複数枚の手すり兼養生シャッター３が連接されている場合は、既設の手すり兼養生シャッター３を上から一枚ずつ順番に持ち上げるため、人力でも容易に作業が可能となる。また、手すり兼養生シャッター３の上下寸法が建枠１１の高さに相当するため、増設を繰り返しても布板１２に対する手すり兼養生シャッター３の上端部の高さ位置が一定となり、先行手すりとしての役割を担保する。また、足場の増設に合わせて手すり先行型足場養生システム１を増設しやすい。
【００５３】
つづいて、既設のガイドレール２の間に新設の手すり兼養生シャッター３を最下層から挿入してスライドさせながら持ち上げ、その上端部を既設の手すり兼養生シャッター３の下端部に連結する（シャッター連結工程）。本実施形態では、新設の手すり兼養生シャッター３における上端部側の差込口３４にジョイントプレート７を差し込んだ状態で持ち上げる。これにより、各ジョイントプレート７が、既設の手すり兼養生シャッター３における下端部側の差込口３４に差し込まれて連結し仮留めされた状態となる。このため、新設の手すり兼養生シャッター３の固定作業に際し、既設の手すり兼養生シャッター３を保持しておく必要がなく、作業効率が向上する。
【００５４】
つぎに、既設の手すり兼養生シャッター３の下端部に連結された新設の手すり兼養生シャッター３を既設のガイドレール２の間に固定する（新設シャッター固定工程）。これにより、各手すり兼養生シャッター３が上下方向に隙間なく連接され、防音性や防塵性が高い上、外観も美しい。
【００５５】
その後、新設した手すり兼養生シャッター３のそれぞれについて、上述した隙間閉塞パネル設置工程およびスライド式幅木設置工程を実施する。
【００５６】
以上の工程を繰り返し実施することにより、図１に示すように、左右方向および上下方向に連接された手すり先行型足場養生システム１が構築される。なお、足場が必要な高さまで組み立てられた場合、図１４（ａ）に示すように、最上部の足場の上部が開放されたままとなる。このため、建枠１１の半分の高さに相当する長さを有する最上部用ガイドレール２および最上部用手すり兼養生シャッター３を別途用意し、図１４（ｂ）に示すように、最上部まで養生することが好ましい。
【００５７】
以上のような本実施形態によれば、以下のような効果を奏する。
１．足場に手すりを先行させる作業と、足場に養生を行う作業とを同時に進行させて、施工コストを低減するとともに施工期間を短縮することができ、極めて安全性の高い足場を構築できる。
２．手すり先行型足場養生システム１を簡単に上下方向および／または左右方向に連接することができ、大規模な手すり先行型足場養生システム１を迅速に構築することができる。
３．手すり兼養生シャッター３が折り畳みできるため、狭い作業現場にも簡単に持ち込むことができ、作業効率を向上することができる。
４．ガイドレール２には、レール防音材２３が設けられているため、手すり兼養生シャッター３の上下動による騒音を低減することができる。
５．手すり兼養生シャッター３に隙間閉塞パネル５を収納して一緒に持ち上げられるため、別途、持ち上げる必要が無く、落下事故を防止することができる。
６．手すり兼養生シャッター３にスライド式幅木６を収納して一緒に持ち上げられるため、別途、持ち上げる必要が無く、落下事故を防止することができる。
【００５８】
なお、本発明に係る手すり先行型足場養生システム１およびこれを用いた手すり先行型足場、ならびに手すり先行型足場養生方法は、前述した実施形態に限定されるものではなく、適宜変更することができる。
【００５９】
例えば、上述した本実施形態では、手すり先行型足場養生システム１を左右方向に連接し易くするため、二つのレール溝２１を有するガイドレール２を使用しているが、この構成に限定されるものではない。例えば、左右いずれかの端部に設けられるガイドレール２は、一つのレール溝２１を有していればよい。
【００６０】
また、上述した本実施形態では、ガイドレール２に先行支柱２４が一体化されているが、この構成に限定されるものではない。例えば、先行支柱２４を設けずに、ガイドレール２同士が直接連結される構成とし、連結部２５、第１固定部材２６および第２固定部材２７を直接ガイドレール２に取り付けてもよい。
【００６１】
さらに、上述した本実施形態では、複数枚の小形シャッターパネル３２を連結して手すり兼養生シャッター３を構成しているが、この構成に限定されるものではなく、一枚のパネル状に形成されていてもよい。また、現場やユーザの希望に応じて、図１５に示すように、採光窓３７を有する手すり兼養生シャッター３を使用してもよい。
【００６２】
また、本実施形態では、ガイド部材５２を用いて隙間閉塞パネル５をスライド移動させているが、この構成に限定されるものではない。例えば、図１６に示すように、隙間閉塞パネル５の左右下端部に回転軸５５を設け、この回転軸５５周りに隙間閉塞パネル５を開閉させるようにしてもよい。
【００６３】
さらに、上述した本実施形態では、枠組足場を組み立てる場合の例について説明したが、いずれの手すり先行型足場にも適用可能である。例えば、くさび緊結式足場の場合には、建枠１１に沿ってポケット部１４が所定間隔で設けられている。このため、図１７に示すように、ガイドレール２の第１固定部材２６および第２固定部材２７をくさび形状とし、ポケット部１４に打ち込んで固定するようにしてもよい。
【００６４】
また、上述した本実施形態では、主として、新築工事に適用することを想定して、複数枚の小形シャッターパネル３２を連結して手すり兼養生シャッター３を構成しているが、この構成に限定されるものではない。例えば、住人がいるマンションやテナントが入ったビルディング等の補修工事や改修工事を行う場合、太陽光を遮ったり、塵埃がこもってしまうと苦情が出るおそれがある。
【００６５】
そこで、図１８に示すように、金属やリサイクル可能なネット等をメッシュ状に形成してなるメッシュ部材３８を用いて手すり兼養生シャッター３を構成してもよい。具体的には、メッシュ部材３８の上下端に、断面略コの字形状のフレーム３９を設け、このフレーム３９に設けたヒンジ３１によって折り畳み自在に連結すればよい。この構成により、安全性を確保しつつ、高い採光性や通気性が得られるため、上述した補修工事や改修工事にも好適である。なお、メッシュ部材３８は、採光性および通気性を確保しうるものであれば、パンチングメタル等のように、複数のパンチ穴を形成してなる金属板でもよい。
【００６６】
さらに、上述した本実施形態では、標準的な足場に合わせて、横幅が１８００ｍｍの手すり兼養生シャッター３を使用しているが、足場のサイズやその他の条件に応じて、様々なサイズの手すり兼養生シャッター３を採用してもよい。例えば、横幅を半分にした９００ｍｍの手すり兼養生シャッター３や、横幅を二倍にした３６００ｍｍの手すり兼養生シャッター３を使用することもできる。
【符号の説明】
【００６７】
１  手すり先行型足場養生システム
２  ガイドレール
３  手すり兼養生シャッター
４  シャッター固定手段
５  隙間閉塞パネル
６  スライド式幅木
７  ジョイントプレート
１１  建枠
１２  布板
１３  ジャッキベース
１４  ポケット部
２１  レール溝
２２  案内面
２３  レール防音材
２４  先行支柱
２５  ジョイントピン（連結部）
２６  第１固定部材
２７  第２固定部材
２８  嵌入孔
２９  係止突起
３１  ヒンジ
３２  小形シャッターパネル
３３  収納ボックス
３４  差込口
３５  係止孔
３６  ストッパー
３７  採光窓
３８  メッシュ部材
３９  フレーム
４１  回転摘み
４２  ロック棒
５１  パネル収納空間
５２  ガイド部材
５３  ガイドピン
５４  ガイド溝
５５  回転軸
６１  第１幅木部材
６２  第２幅木部材
６３  凹部
６４  係合孔
６５  固定ピン
６６  引掛金具
６７  幅木収納空間
６８  開口部
６９  養生クランプ
７１  係止ピン
【図１】
2013057210.tif 000003
【図２】
2013057210.tif 000004
【図３】
2013057210.tif 000005
【図４】
2013057210.tif 000006
【図５】
2013057210.tif 000007
【図６】
2013057210.tif 000008
【図７】
2013057210.tif 000009
【図８】
2013057210.tif 000010
【図９】
2013057210.tif 000011
【図１０】
2013057210.tif 000012
【図１１】
2013057210.tif 000013
【図１２】
2013057210.tif 000014
【図１３】
2013057210.tif 000015
【図１４】
2013057210.tif 000016
【図１５】
2013057210.tif 000017
【図１６】
2013057210.tif 000018
【図１７】
2013057210.tif 000019
【図１８】
2013057210.tif 000020